(57)【要約】【課題】  セッション転送において、転送先端末の候補の情報を、ユーザが持つ転送元端末上で迅速に表示できる転送先端末照会システムを提供することを目的とする。【解決手段】  転送先端末照会システムにおいて、無線通信装置５が端末ＩＤを無線通信基地局６に送信し、無線通信基地局６が位置ＩＤと端末ＩＤとを端末情報管理サーバ４に送信し、端末情報管理サーバ４が位置ＩＤを用いて転送元端末１が存在する場所を取得して転送元端末１の動的情報の１つとし、静的情報および動的情報を用いてセッションを転送するのに適した端末を選定し、この選定した端末についての端末情報を作成し、この作成した端末情報を、端末ＩＤを用いて転送元端末１へ送信するように構成する。【選択図】          図１
2005051471.tif 000002
【特許請求の範囲】
【請求項１】
転送元端末と、前記転送元端末に取り付けられた無線通信装置と、前記無線通信装置と通信が可能な無線通信基地局と、前記無線通信基地局にネットワークを介して接続された端末情報管理サーバと、を有する転送先端末照会システムにおいて、
前記無線通信装置は、
前記転送元端末を一意に示す端末ＩＤを保持する端末ＩＤ保持手段と、
前記端末ＩＤ保持手段に保持された端末ＩＤを前記無線通信基地局に送信する端末ＩＤ送信手段と、
を備え、
前記無線通信基地局は、
前記無線通信基地局の位置を示す位置ＩＤを保持する位置ＩＤ保持手段と、
前記無線通信装置から端末ＩＤを受信する端末ＩＤ受信手段と、
前記位置ＩＤ保持手段に保持された位置ＩＤと前記無線通信装置から受信した端末ＩＤとを前記端末情報管理サーバに送信する位置ＩＤ端末ＩＤ送信手段と、
を備え、
前記端末情報管理サーバは、
前記無線通信基地局から位置ＩＤおよび端末ＩＤを受信する位置ＩＤ端末ＩＤ受信手段と、
静的情報および動的情報を２以上の端末について保持する情報保持手段と、
前記位置ＩＤ端末ＩＤ受信手段で受信した位置ＩＤを用いて前記転送元端末が存在する場所を取得し、前記転送元端末の動的情報の１つとして前記情報保持手段に登録する位置情報管理手段と、
前記情報保持手段に保持された静的情報および動的情報を用いて、セッションを転送するのに適した端末を選定し、この選定した端末についての端末情報を作成する端末情報作成手段と、
前記端末情報作成手段で作成した端末情報を、前記位置ＩＤ端末ＩＤ受信手段で受信した端末ＩＤを用いて、前記転送元端末へ送信する端末情報送信手段と、
を備える、
ことを特徴とする転送先端末照会システム。
【請求項２】
請求項１に記載の転送先端末照会システムにおいて、
前記転送元端末は、
ユーザ条件を入力されるユーザ条件入力手段と、
前記ユーザ条件入力手段に入力されたユーザ条件を、前記無線通信基地局を介して前記端末情報管理サーバに送信するユーザ条件送信手段と、
を備え、
前記端末情報管理サーバは、さらに、前記転送元端末から前記ユーザ条件を受信するユーザ条件受信手段を備え、
前記端末情報管理サーバの端末情報作成手段は、前記情報保持手段に保持された静的情報および動的情報を用いて、前記ユーザ条件受信手段で受信したユーザ条件を満たす端末を選定し、この選定した端末についての端末情報を作成する、
ことを特徴とする転送先端末照会システム。
【請求項３】
請求項１に記載の転送先端末照会システムにおいて、前記端末情報管理サーバの端末情報作成手段は、前記情報保持手段に保持された静的情報および動的情報を用いて、転送が可能な端末をすべて選定し、この選定したすべての端末についての端末情報を作成する、
ことを特徴とする転送先端末照会システム。
【発明の詳細な説明】
【技術分野】
【０００１】
本発明は、セッション転送における転送先端末の照会方法に関する。
【背景技術】
【０００２】
転送電話に代表される各種転送サービスを実現する技術としては、ＩＴＵ−Ｔ勧告であるマルチメディア通信システム「Ｈ．３２３」でのＨ．４５０．２で標準化された技術などが存在する。これらの技術では、通信中の端末間で実行されているアプリケーションのセッションを途切れることなく他の端末に転送できる。
【０００３】
しかし、転送を行う場合には転送先端末を示すＩＤ（ＩＰアドレスなど）を転送元端末に入力しなければならないところ、上記従来の技術では、転送先端末を示すＩＤを転送元端末に手動で入力しなければならなかった。したがって、上記従来の技術は、ユーザにとって不便なものであった。
【０００４】
また、上記従来の技術では、ユーザは、転送先端末へログインしてコマンドなどを利用しなければ転送先端末の情報を取得できなかった。したがって、この点でも、上記従来の技術は、ユーザにとって不便なものであった。
【０００５】
そこで、従来、ブルートゥースなどの近距離無線通信技術を使用して端末間で通信を行い、必要なデータを取得するアイディアが提案された（特許文献１参照）。
【特許文献１】特開２００３−５１７７１号公報
【発明の開示】
【発明が解決しようとする課題】
【０００６】
しかし、端末間で通信を行う方式（特許文献１参照）では、複数の転送先端末の候補と通信を行わなければセッションの継続を行うための転送先端末を決定することができない。したがって、端末間で通信を行う方式（特許文献１参照）では、転送元端末の接続するネットワークの帯域に負担がかかり、転送先端末からの返答の処理の負荷も多くなる。よって、端末間で通信を行う方式（特許文献１参照）では、転送先端末を迅速に決定できなかった。
【０００７】
そこで、本発明は、かかる事情に鑑み、セッション転送において、転送先端末の候補の情報を、ユーザが持つ転送元端末上で迅速に表示できる転送先端末照会システムを提供することを目的とする。
【課題を解決するための手段】
【０００８】
本発明によれば、上記課題は、次の手段により解決される。
【０００９】
第１の発明は、転送元端末と、前記転送元端末に取り付けられた無線通信装置と、前記無線通信装置と通信が可能な無線通信基地局と、前記無線通信基地局にネットワークを介して接続された端末情報管理サーバと、を有する転送先端末照会システムにおいて、前記無線通信装置は、前記転送元端末を一意に示す端末ＩＤを保持する端末ＩＤ保持手段と、前記端末ＩＤ保持手段に保持された端末ＩＤを前記無線通信基地局に送信する端末ＩＤ送信手段と、を備え、前記無線通信基地局は、前記無線通信基地局の位置を示す位置ＩＤを保持する位置ＩＤ保持手段と、前記無線通信装置から端末ＩＤを受信する端末ＩＤ受信手段と、前記位置ＩＤ保持手段に保持された位置ＩＤと前記無線通信装置から受信した端末ＩＤとを前記端末情報管理サーバに送信する位置ＩＤ端末ＩＤ送信手段と、を備え、前記端末情報管理サーバは、前記無線通信基地局から位置ＩＤおよび端末ＩＤを受信する位置ＩＤ端末ＩＤ受信手段と、静的情報および動的情報を２以上の端末について保持する情報保持手段と、前記位置ＩＤ端末ＩＤ受信手段で受信した位置ＩＤを用いて前記転送元端末が存在する場所を取得し、前記転送元端末の動的情報の１つとして前記情報保持手段に登録する位置情報管理手段と、前記情報保持手段に保持された静的情報および動的情報を用いて、セッションを転送するのに適した端末を選定し、この選定した端末についての端末情報を作成する端末情報作成手段と、前記端末情報作成手段で作成した端末情報を、前記位置ＩＤ端末ＩＤ受信手段で受信した端末ＩＤを用いて、前記転送元端末へ送信する端末情報送信手段と、を備える、ことを特徴とする転送先端末照会システムである。
【００１０】
第２の発明は、第１の発明に係る転送先端末照会システムにおいて、前記転送元端末は、ユーザ条件を入力されるユーザ条件入力手段と、前記ユーザ条件入力手段に入力されたユーザ条件を、前記無線通信基地局を介して前記端末情報管理サーバに送信するユーザ条件送信手段と、を備え、前記端末情報管理サーバは、さらに、前記転送元端末から前記ユーザ条件を受信するユーザ条件受信手段を備え、前記端末情報管理サーバの端末情報作成手段は、前記情報保持手段に保持された静的情報および動的情報を用いて、前記ユーザ条件受信手段で受信したユーザ条件を満たす端末を選定し、この選定した端末についての端末情報を作成する、ことを特徴とする転送先端末照会システムである。
【００１１】
第３の発明は、第１の発明に係る転送先端末照会システムにおいて、前記端末情報管理サーバの端末情報作成手段は、前記情報保持手段に保持された静的情報および動的情報を用いて、転送が可能な端末をすべて選定し、この選定したすべての端末についての端末情報を作成する、ことを特徴とする転送先端末照会システムである。
【発明の効果】
【００１２】
以上説明したように、本発明によれば、セッション転送において、転送先端末の候補の情報を、ユーザが持つ転送元端末上で迅速に表示することができる。したがって、本発明によれば、転送先端末を迅速に決定することができる。
【発明を実施するための最良の形態】
【００１３】
以下に、添付した図面を参照しつつ、本発明を実施するための最良の形態について説明する。
【００１４】
図１は、本発明の実施の形態に係る転送先端末照会システムの全体構成を示す図である。
【００１５】
図１に示すように、本発明の実施の形態に係る転送先端末照会システムは、ＰＣやＰＤＡや携帯電話などの端末１〜端末３と、端末１〜端末３の情報を管理する端末情報管理サーバ４と、端末１に取り付けられた無線通信装置５と、無線通信基地局６と、ネットワーク７と、を有している。なお、無線通信装置５には、端末１を一意に示す端末ＩＤが登録されている。
【００１６】
図２（ａ）は、端末１〜端末３のソフトウェア構成を示す図である。
【００１７】
図２（ａ）に示すように、端末１〜端末３は、ネットワークを介した通信を行うネットワーク通信手段と、端末の仕様に関する静的情報を保持、登録する静的情報管理手段と、時々刻々と変化する動的情報を取得、保持、登録する動的情報管理手段と、ユーザ条件を入力されるユーザ条件入力手段と、ユーザ条件入力手段に入力されたユーザ条件を無線通信基地局６を介して端末情報管理サーバ４に送信するユーザ条件送信手段と、テレビ電話やストリーミング配信ソフトやオンラインゲームなどを実現する通信アプリケーションと、を備えている。
【００１８】
ここで、静的情報とは、たとえば、端末の大きさや重さ、画面サイズや解像度、音声の入出力の可否、映像の入出力の可否、入出力インターフェースの種類、利用可能なファイルのフォーマット、またはプロセッサやメモリのスペックなど、をいう。
【００１９】
また、動的情報とは、たとえば、現在利用できる通信インターフェースとその帯域の混雑具合、現在の設置場所、電源のＯＮ／ＯＦＦ、オンライン状態やオフライン状態、他ユーザによる利用の有無、またはプロセッサやメモリの稼動状態など、をいう。
【００２０】
なお、ユーザ条件入力手段は、たとえば、キーボードやマウスなどによって実現できる。
【００２１】
図２（ｂ）は、無線通信基地局６のソフトウェア構成を示す図である。
【００２２】
図２（ｂ）に示すように、無線通信基地局６は、ネットワークを介した通信を行うネットワーク通信手段と、無線通信基地局６の位置を示す位置ＩＤを保持する位置ＩＤ保持手段と、無線通信装置５から端末ＩＤを受信する端末ＩＤ受信手段と、位置ＩＤ保持手段に保持された位置ＩＤと無線通信装置５から取得した端末１の端末ＩＤとを組にして端末情報管理サーバ４に通知する位置ＩＤ端末ＩＤ送信手段と、を備えている。
【００２３】
図２（ｃ）は、端末情報管理サーバ４のソフトウェア構成を示す図である。
【００２４】
図２（ｃ）に示すように、端末情報管理サーバ４は、ネットワークを介した通信を行うネットワーク通信手段と、無線通信基地局６から位置ＩＤおよび端末ＩＤを受信する位置ＩＤ端末ＩＤ受信手段と、位置情報管理手段と、静的情報および動的情報を保持する情報保持手段と、端末情報作成手段と、端末情報送信手段と、ユーザ条件を無線通信基地局６を介して端末から受信するユーザ条件受信手段と、を備える。
【００２５】
ここで、位置情報管理手段には、位置ＩＤと場所とが組となったデータ（以下、「位置ＩＤ−場所データ」という。）があらかじめ登録されている。位置情報管理手段は、無線通信基地局６から通知された位置ＩＤと端末１の端末ＩＤとの組を登録する。そして、位置情報管理手段は、位置ＩＤと位置ＩＤ−場所データとを用いて、無線通信基地局６が存在する場所を取得し、端末１の動的情報の１つとして情報保持手段に登録を行う。
【００２６】
情報保持手段に保持される静的情報は、あらかじめ登録しておくこともできるし、端末１〜端末３の静的情報管理手段によって登録することもできる。また、情報保持手段に保持される動的情報は、端末１〜端末３の動的情報管理手段によって変更がある度に随時登録することもできるし、上述したように、位置情報管理手段によって登録することもできる。
【００２７】
端末情報作成手段は、情報保持手段に保持された静的情報および動的情報を用いて端末情報を作成する。
端末情報送信手段は、端末情報作成手段が作成した端末情報を転送元端末に送信する。なお、端末情報とは、静的情報や動的情報、または静的情報や動的情報に基づく情報（転送の可否など）をいう。
【００２８】
なお、端末情報管理サーバ４と端末１とは、無線通信基地局６を介して通信を行うが、図２においては、説明の便宜のため、端末情報管理サーバ４のネットワーク通信手段と端末１のネットワーク通信手段とを直結してある。
【００２９】
図３は、端末情報を表示する転送元端末の画面の一例である。
【００３０】
図３に示すように、転送先端末の画面には端末のイメージが部屋のレイアウトなどを含むイメージ上に表示されている。この画面上に表示された端末のイメージがユーザにより指定されると、この指定された端末に関する端末情報が転送先端末の画面上に表示される。なお、端末情報は、転送先端末の画面上において任意に分類して表示することができ、たとえば、能力表示と状態表示とに分類して表示することができる。
【００３１】
ユーザは、転送先端末の画面上に表示された端末情報を利用して、転送先の端末を決定し、通信先端末に転送実行を指示する。なお、たとえば、転送元端末の画面上で、端末情報とともに表示された「転送実行」を選択することにより、通信先端末へ転送実行を指示することができる。
【実施例１】
【００３２】
つぎに、本発明の実施例１について説明する。なお、実施例１においては、端末１が、端末３との通信中にセッションを端末２へ転送するものとする。
【００３３】
図４は、本発明の実施例１に係る転送先端末照会システムの動作を説明するシーケンスチャートである。
【００３４】
まず、端末１と端末３とが通信を行っている。
【００３５】
つぎに、端末２の静的情報管理手段と動的情報管理手段とが、端末情報管理サーバ４に静的情報と動的情報との登録を行っている。なお、端末２の動的情報管理手段は、動的情報の変化があるごとに端末情報管理サーバ４への動的情報の登録を随時行う。
【００３６】
つぎに、端末１を所持するユーザが部屋に入室することにより、端末１に取り付けられた無線通信装置５と無線通信基地局６とが交信可能な状態になり、無線通信基地局６が無線通信装置５から端末１の端末ＩＤを取得する。
【００３７】
つぎに、無線通信基地局６が、位置ＩＤ保持手段に保持している位置ＩＤと端末ＩＤ受信手段によって無線通信装置５から取得した端末ＩＤとを、組にして、端末情報管理サーバ４に登録する。
【００３８】
つぎに、端末情報管理サーバ４が、端末ＩＤに対応する端末（本実施例１では端末１）に、端末情報を送信する。
【００３９】
つぎに、端末１が、端末情報管理サーバ４から受信した端末情報を端末１の画面上に表示する。したがって、本実施例１によれば、ユーザは、セッションを転送できる端末に関する情報を容易に取得することができる。なお、本実施例１におけるユーザは、端末２を転送先の端末として決定したものとする。
【００４０】
転送先端末の画面上において、端末２の端末情報とともに表示されている転送実行が選択されると、端末１は、通信先の端末３に対して、セッションを端末２へ転送するよう指示する。
【００４１】
端末１からセッションの転送を指示された端末３は、転送指示の応答を端末１に送信し、転送動作を開始する。
【００４２】
転送動作が完了すると、端末３は、端末１と通信状態になるとともに、端末２とも通信状態になる。
【００４３】
つぎに、端末１が、端末３に対して、通信切断を指示する。
【００４４】
つぎに、端末３が、端末１に対して、通信切断の指示に対する応答を送信し、端末１との通信を切断する。
【００４５】
そして、ユーザは、端末１におけるセッションを端末２で継続して実行する。
【００４６】
以上説明したように、実施例１によれば、無線通信基地局６が無線通信装置５を利用して端末１がある場所に入ったことを検知し、端末情報管理サーバ４が端末１の周辺で利用可能な転送先端末の候補の情報を端末１に迅速に提供する。したがって、実施例１によれば、端末１を所持するユーザは、転送先端末を迅速に決定することができる。
【実施例２】
【００４７】
つぎに、本発明の実施例２について説明する。なお、実施例２においても、端末１が、端末３との通信中にセッションを端末２へ転送するものとする。
【００４８】
図５は、本発明の実施例２に係る転送先端末照会システムの動作を説明するシーケンスチャートである。
【００４９】
まず、端末１と端末３とが通信を行っている。
【００５０】
つぎに、端末２の静的情報管理手段と動的情報管理手段とが、端末情報管理サーバ４に静的情報と動的情報との登録を行っている。なお、端末２の動的情報管理手段は、動的情報の変化があるごとに端末情報管理サーバ４への動的情報の登録を随時行う。
【００５１】
つぎに、端末１を所持するユーザが部屋に入室することにより、端末１に取り付けられた無線通信装置５と無線通信基地局６とが交信可能な状態になり、無線通信基地局６が無線通信装置５から端末１の端末ＩＤを取得する。
【００５２】
つぎに、無線通信基地局６が、位置ＩＤ保持手段に保持している位置ＩＤと端末ＩＤ受信手段によって無線通信装置５から取得した端末ＩＤとを、組にして、端末情報管理サーバ４に登録する。
【００５３】
つぎに、ユーザの希望する転送先端末の条件（以下、「ユーザ条件」という。）が端末１のユーザ条件入力手段に入力され、この入力されたユーザ条件が端末１のユーザ条件送信手段によって端末情報管理サーバ４に対して送信される。
【００５４】
ここで、ユーザ条件とは、静的条件や動的条件などをいう。
【００５５】
静的条件とは、たとえば、端末の大きさや重さ、画面サイズや解像度、音声の入出力の可否、映像の入出力の可否、入出力インターフェースの種類、利用可能なファイルのフォーマット、プロセッサやメモリのスペックなど、をいう。
【００５６】
動的条件とは、たとえば、現在利用できる通信インターフェースとその帯域の混雑具合、現在の設置場所、電源のＯＮ／ＯＦＦ、オンライン、オフライン状態、他ユーザによる利用の有無、プロセッサやメモリの稼動状態など、をいう。
【００５７】
つぎに、端末情報管理サーバ４の端末情報作成手段が、ユーザ条件に合う端末の端末情報のみを作成し、端末情報管理サーバ４の送信手段が、端末情報作成手段によって作成された端末情報を端末ＩＤに対応する端末（本実施例１では端末１）に送信する。
【００５８】
つぎに、端末１が、端末情報管理サーバ４から受信した端末情報を端末１の画面上に表示する。したがって、本実施例２によれば、ユーザは、セッションを転送できる端末に関する情報を容易に取得することができる。なお、本実施例１におけるユーザは、端末２を転送先の端末として決定したものとする。
【００５９】
転送先端末の画面上において、端末２の端末情報とともに表示されている転送実行が選択されると、端末１は、通信先の端末３に対して、セッションを端末２へ転送するよう指示する。
【００６０】
端末１からセッションの転送を指示された端末３は、転送指示の応答を端末１に送信し、転送動作を開始する。
【００６１】
転送動作が完了すると、端末３は、端末１と通信状態になるとともに、端末２とも通信状態になる。
【００６２】
つぎに、端末１が、端末３に対して、通信切断を指示する。
【００６３】
つぎに、端末３が、端末１に対して、通信切断の指示に対する応答を送信し、端末１との通信を切断する。
【００６４】
そして、ユーザは、端末１におけるセッションを端末２で継続して実行する。
【００６５】
以上説明したように、実施例２によれば、ユーザが要求する条件を満たす端末の端末情報のみが端末情報管理サーバ４から端末１に提供される。したがって、実施例２によれば、端末１を所持するユーザは、実施例１の場合よりも迅速に転送先端末を決定することができる。
【実施例３】
【００６６】
つぎに、上述した本発明の実施例１、２に係る転送先端末照会システムを、ネットカフェのような不特定多数のユーザが端末を利用する環境に適用した、実施例３について説明する。
【００６７】
まず、ネットカフェのような環境において、出入り口などに無線通信基地局６を置く。
【００６８】
つぎに、無線通信基地局６が、入店したユーザが所持する端末１に取り付けられた無線通信装置５から端末ＩＤを取得し、この取得した端末ＩＤを端末情報管理サーバ４へ登録する。
【００６９】
そして、端末情報管理サーバ４が、無線通信基地局６から登録された端末ＩＤを利用して、ネットカフェの中にある端末を表示する転送先端末の候補の情報をユーザが所持する端末１に送信する。
【００７０】
実施例３に係る転送先端末照会システムによれば、ユーザは、ネットカフェ内にある端末の情報を迅速に取得できる。したがって、実施例３によれば、ユーザは、転送先の端末を容易に決定できる。
【図面の簡単な説明】
【００７１】
【図１】本発明の実施の形態に係る転送先端末照会システムの全体構成を示す図である。
【図２】端末１〜端末３のソフトウェア構成（ａ）と、無線通信基地局６のソフトウェア構成（ｂ）と、端末情報管理サーバ４のソフトウェア構成（ｃ）と、を示す図である。
【図３】端末情報を表示する転送元端末の画面の一例である。
【図４】本発明の実施例１に係る転送先端末照会システムの動作を説明するシーケンスチャートである。
【図５】本発明の実施例２に係る転送先端末照会システムの動作を説明するシーケンスチャートである。
【符号の説明】
【００７２】
１    端末（転送元）
２    端末（転送先）
３    端末（通信先）
４    端末情報管理サーバ
５    無線通信装置
６    無線通信基地局
７    ネットワーク
【図１】
2005051471.tif 000003
【図２】
2005051471.tif 000004
【図３】
2005051471.tif 000005
【図４】
2005051471.tif 000006
【図５】
2005051471.tif 000007